(57)【要約】【課題】撮影した画像を送信する場合、撮影用のデジタルスチールカメラ以外にノートパソコン、携帯電話、ＤＳＣと機器を接続する専用ケーブル等が必要となり外出先まで携帯する必要があり不便である。また、撮った画像の位置の情報を添付する場合、位置の検索の手間、電子メールに添付する手間がかかり使用者にとって不便である。【解決手段】撮影した画像データを通信ネットワークに送信する画像撮影装置１であって、画像撮影装置１が撮影した画像データを送信するとき、位置情報取得手段１４で取得した位置情報と画像データを添付し、送信手段１７を介して電子メールを受信端末２に送信する。【選択図】　図１
2004147044.tif 000002
【特許請求の範囲】
【請求項１】
画像を撮影するためのカメラ機能と
前記カメラ機能で撮影した画像データを記憶する画像記憶手段と、
通信ネットワークに接続するための情報を記憶する設定情報記憶手段と、
位置情報を取得する位置情報取得手段と、
前記位置情報取得手段で取得した位置情報を記憶する位置情報記憶手段と、
前記位置情報記憶手段に記憶された位置情報と前記画像記憶手段に記憶された画像データを電子メールに添付する添付データに加工するデータ処理手段と、
前記添付データを添付した電子メールを送信する送信手段とを有することを特徴とする通信システム。
【請求項２】
前記位置情報取得手段で取得した位置情報に基づく地図情報を要求する地図情報要求手段と、
前記地図情報を受信する受信手段と、
前記受信手段で受信した地図情報を記憶する地図情報記憶手段とを有し、
前記データ処理手段はさらに前記地図情報記憶手段に記憶された地図情報を電子メールに添付する添付データに加工することを特徴とする請求項１記載の通信システム。
【請求項３】
前記位置情報の取得を、画像を撮影するときに行う動作モードを有することを特徴とする請求項１乃至請求項２記載の通信システム。
【請求項４】
前記位置情報の取得を、電子メールを送信するときに行う動作モードを有することを特徴とする請求項１乃至請求項２記載の通信システム。
【請求項５】
前記位置情報の取得を、画像を撮影するときに行う動作モードと電子メールを送信するときに行う動作モードを有し、これら動作モードを選択可能な請求項１乃至請求項２記載の通信システム。
【請求項６】
前記地図情報の要求を、画像を撮影するときに行う動作モードを有することを特徴とする請求項２記載の通信システム。
【請求項７】
前記地図情報の要求を、電子メールを送信するときに行う動作モードを有することを特徴とする請求項２記載の通信システム。
【請求項８】
前記地図情報の要求を、画像を撮影するときに行う動作モードと電子メールを送信するときに行う動作モードを有し、これら動作モードを選択可能な請求項２記載の通信システム。
【請求項９】
前記地図情報を画像データと関連付けて前記画像記憶手段に記憶することを特徴とする請求項２記載の通信システム。
【請求項１０】
前記地図情報は、前記位置情報に対応する地図情報を提供するアドレスのＵＲＬであることを特徴とする請求項２記載の通信システム。
【請求項１１】
前記地図情報は、位置を示す地図の画像データを含むことを特徴とする請求項２記載の通信システム。
【請求項１２】
前記地図情報は、緯度及び経度を含むことを特徴とする請求項２記載の通信システム。
【請求項１３】
前記地図情報は、位置を示す文字情報を含むことを特徴とする請求項２記載の通信システム。
【請求項１４】
前記データ処理手段はさらに時刻の情報を電子メールに添付する添付データに加工することを特徴とする請求項１記載の通信システム。
【発明の詳細な説明】
【０００１】
【発明の属する技術分野】
本発明は、撮影した画像データに位置情報を付け受信端末に送信する通信システムに関する。
【０００２】
【従来の技術】
外出先で撮ったデジタルスチールカメラ（以降、ＤＳＣと呼ぶ）の画像を外出先で転送する場合、外出先からノートパソコン等の移動可能な端末を使い画像データを取り込み電子メールで送信する方法等がとられていた。また、どこで撮影した画像かわかるように撮影した場所に関する情報をインターネット等で検索し電子メールで送信する方法等がとられていた。
【０００３】
なお、画像と位置データを関連付ける方法もある（例えば特許文献１参照）。
【０００４】
【特許文献１】
特開２００１−２６８４９０号公報
【０００５】
【発明が解決しようとする課題】
上記のようにノートパソコンで画像データを電子メールで送信する方法について、図１７を用いて示す。（画像データ取り込み操作）１：ＤＳＣ１７０１を用いてノートパソコン１７０２に接続する。２：ノートパソコン上で、専用のソフトウェアを使って画像データをノートパソコン１７０２に取込む。この際、ノートパソコン１７０２には、事前に画像データをＤＳＣから取得するための専用ソフトウェアをインストールしている必要がある。接続にあたっては、ＤＳＣ１７０１に付属の専用ケーブル１７０３が必要になる。（画像データ送信準備操作）１：ノートパソコン１７０２と携帯電話１７０４を接続する。２：ＩＳＰ（Ｉｎｔｅｒｎｅｔ　Ｓｅｒｖｉｃｅ　Ｐｒｏｖｉｄｅｒ）と接続する。この際、携帯電話１７０４と接続するためのモデムカード、及び携帯電話１７０４と接続するための専用ケーブル１７０５が必要になる。画像データの取り込み操作、画像データ送信準備操作が終わったあとに、ノートパソコン１７０２でＤＳＣ１７０１から取得した画像データを添付した電子メールを送信する。さらに、撮った画像に、どこで撮ったのかをわかるようにするため、位置に関する情報（住所、地図等）を付加したい。その場合には、自分で位置をインターネット等で検索しその情報を画像データと一緒に付加し電子メールとして転送しなければならない。しかし、このような方法では、ＤＳＣ以外にノートパソコン、携帯電話、ＤＳＣと機器を接続する専用ケーブル等が必要となり外出先まで携帯する必要があり不便である。また、事前にノートパソコンにＤＳＣから画像データを取得するための専用ソフトをインストールする必要がある。さらに、位置に関する情報を検索する手間、電子メールに添付する手間がかかり使用者にとって負担がかかるという問題がある。
【０００６】
【課題を解決するための手段】
上記した課題を解決するために、第１の発明は、画像を撮影するためのカメラ機能と前記カメラ機能で撮影した画像データを記憶する画像記憶手段と、通信ネットワークに接続するための情報を記憶する設定情報記憶手段と、位置情報を取得する位置情報取得手段と、前記位置情報取得手段で取得した位置情報を記憶する位置情報記憶手段と、前記位置情報記憶手段に記憶された位置情報と前記画像記憶手段に記憶された画像データを電子メールに添付する添付データに加工するデータ処理手段と、前記添付データを添付した電子メールを送信する送信手段とを有することを特徴とする通信システムである。
【０００７】
このことにより、通信システムは、画像データを送信するためのノートパソコンとの接続、携帯電話との接続をするという操作をせずに画像データを送信できる。さらに、自分の位置情報の検索なしに位置情報を付加した電子メールを送信できる。
【０００８】
第２の発明は、前記位置情報取得手段で取得した位置情報に基づく地図情報を要求する地図情報要求手段と、前記地図情報を受信する受信手段と、前記受信手段で受信した地図情報を記憶する地図情報記憶手段とを有し、前記データ処理手段はさらに前記地図情報記憶手段に記憶された地図情報を電子メールに添付する添付データに加工することを特徴とする第１の発明記載の通信システムである。
【０００９】
このことにより、地図に関する情報を付加した電子メールを送信できる。
【００１０】
第３の発明は、前記位置情報の取得を、画像を撮影するときに行う動作モードを有することを特徴とする第１の発明乃至第２の発明記載の通信システムである。
【００１１】
このことにより、画像データに対応した位置情報が確実に取得できる。
【００１２】
第４の発明は、前記位置情報の取得を、電子メールを送信するときに行う動作モードを有することを特徴とする第１の発明乃至第２の発明記載の通信システムである。
【００１３】
このことにより、同一の場所で複数の画像を撮影する場合、同じ位置情報を何度も取得しなくてすむ。
【００１４】
第５の発明は、前記位置情報の取得を、画像を撮影するときに行う動作モードと電子メールを送信するときに行う動作モードを有し、これら動作モードを選択可能な第１の発明乃至第２の発明記載の通信システムである。
【００１５】
このことにより、使用者の希望に応じて位置情報の取得、画像データの送信ができる。
【００１６】
第６の発明は、前記地図情報の要求を、画像を撮影するときに行う動作モードを有することを特徴とする第２の発明記載の通信システムである。
【００１７】
このことにより、画像データに対応した地図情報が確実に取得できる。
【００１８】
第７の発明は、前記地図情報の要求を、電子メールを送信するときに行う動作モードを有することを特徴とする第２の発明記載の通信システムである。
【００１９】
このことにより、同一の場所で複数の画像を撮影する場合、同じ地図情報を何度も取得しなくてすむ。
【００２０】
第８の発明は、前記地図情報の要求を、画像を撮影するときに行う動作モードと電子メールを送信するときに行う動作モードを有し、これら動作モードを選択可能な第２の発明記載の通信システムである。
【００２１】
このことにより、使用者の希望に応じて地図情報の取得、画像データの送信ができる。
【００２２】
第９の発明は、前記地図情報を画像データと関連付けて前記画像記憶手段に記憶することを特徴とする第２の発明記載の通信システムである。
【００２３】
このことにより、画像データと地図情報とを正しく関連付けることができる。
【００２４】
第１０の発明は、前記地図情報は、前記位置情報に対応する地図情報を提供するアドレスのＵＲＬであることを特徴とする第２の発明記載の通信システムである。
【００２５】
第１１の発明は、前記地図情報は、位置を示す地図の画像データを含むことを特徴とする第２の発明記載の通信システムである。
【００２６】
第１２の発明は、前記地図情報は、緯度及び経度を含むことを特徴とする第２の発明記載の通信システムである。
【００２７】
第１３の発明は、前記地図情報は、位置を示す文字情報を含むことを特徴とする第２の発明記載の通信システムである。
【００２８】
第１４の発明は、前記データ処理手段はさらに時刻の情報を電子メールに添付する添付データに加工することを特徴とする第１の発明記載の通信システムである。
【００２９】
【発明の実施の形態】
（実施の形態１）
以下、本発明の第１の実施の形態について、図面を参照しながら説明する。図１は、本実施の形態で使用される位置情報を付加し画像データを送信する通信システムの例を示す。撮影した画像データを通信ネットワークに送信する画像撮影装置１と位置情報と画像データが添付された電子メールを受信する受信端末２である。
【００３０】
前記画像撮影装置１は、画像を撮影するためのカメラ機能１１と、カメラ機能１１で撮影した画像データを記憶する画像記憶手段１２と、通信ネットワークに接続するための情報、例えば、ＩＳＰと接続するための電話番号、ＩＳＰとの接続に必要なユーザＩＤ、パスワード、電子メールを送信するためのメールサーバ、送信先アドレス等を記憶する設定情報記憶手段１３と、自分の位置に関する情報を取得する位置情報取得手段１４と、取得した位置情報を記憶する位置情報記憶手段１５と、位置情報記憶手段１５で取得した位置情報と画像データを電子メールで送信するためのデータに加工するデータ処理手段１６と、データ処理手段１６で加工したデータを電子メールで送信する送信手段１７とを持つ。
【００３１】
画像撮影装置１は、位置情報取得手段１４で取得した位置情報と撮影した画像データを添付した電子メールを受信端末２に送信する。
【００３２】
次に、図２のフローチャートを用いて本実施の形態での画像撮影装置の操作方法に関して説明する。画像撮影装置は、例えば、デジタルスチールカメラのような写真を撮影するものを想定し以下に説明する。画像撮影装置１は、写真を撮影する操作、位置情報を取得する操作、画像データ、位置情報を電子メールで送信する操作、の３つの操作モードを持つ。
【００３３】
図２を用いて、使用者の画像撮影装置の操作手順を説明する。まず、使用者は写真を撮影する（ステップＳ２０１）。次に位置情報を取得する（ステップＳ２０２）。そして、ステップＳ２０１で撮影した画像データとステップＳ２０２で取得した位置情報を電子メールに添付して送信する（ステップＳ２０３）。位置情報とは、自分の居る場所を示す情報であり、例えば、緯度、経度の値からなる。
【００３４】
次に、各操作についてフローチャートを用いて説明する。
【００３５】
画像撮影操作１を図３のフローチャートを用いて説明する。使用者は、カメラ機能１１を用いて撮影する。画像が撮影されたかどうか判断する（ステップＳ３０１）。画像が撮影された場合、画像記憶手段１２に記憶する（ステップＳ３０２）。画像記憶手段１２は、画像撮影装置１の内部で持つ記憶媒体、例えばＲＡＭ（Ｒａｎｄｏｍ　Ａｃｃｅｓｓ　Ｍｅｍｏｒｙ）であってもいいし、外部に取り付けられた記憶媒体、例えばカード型の記憶媒体のＣＦ（Ｃｏｍｐａｃｔ　Ｆｌａｓｈ）カード等であってもよい。
【００３６】
次に、位置情報取得操作１を図４のフローチャートを用いて説明する。画像撮影装置１は、例えば、使用者の意思によって、画像撮影装置１の液晶表示部分に表示された位置情報取得用のアイコンを選択しクリックすることで、例えば、ＧＰＳ（Ｇｌｏｂａｌ　Ｐｏｓｉｔｉｏｎｉｎｇ　Ｓｙｓｔｅｍ）を用いて位置情報を取得する。ここでの位置情報は、例えば緯度、経度の値とする（ステップＳ４０１）。画像撮影装置１は、位置情報取得手段１４で位置情報が取得できたかどうかを判断する（ステップＳ４０２）。取得できてなかった場合、リトライ回数が予め設定していた閾値回数を超えたかどうかを判断し（ステップＳ４０３）、超えていればエラー表示を出し終了する（ステップＳ４０４）。例えば、画像撮影装置１の液晶表示部分に位置情報を取得できなかった旨を示す表示を行う。超えていなければ、再度位置情報を取得するためステップＳ４０１に戻る。位置情報が取得できたら位置情報を位置情報記憶手段１５に位置情報を記憶する（ステップＳ４０５）。位置情報取得手段１４では、ＧＰＳを用いた位置情報の取得方法としたが、携帯電話もしくはＰＨＳのアクセスポイントを利用した位置情報の取得方法であってもよい。ＧＰＳやＰＨＳのアクセスポイントを利用した位置情報の取得方法は周知のことであり、位置情報が取得できればよいのでここでは言及しない。また、ここでは位置情報を緯度、経度の値としたが、位置がわかる情報であればよい。
【００３７】
次に、メール送信操作１を図５のフローチャートを用いて説明する。使用者の意思によって、画像撮影装置１の液晶表示部分に表示された電子メール送信用のアイコンを選択しクリックすることで、ＩＳＰのサーバに接続し使用者が選択した画像データ、位置情報を添付した電子メールを受信端末２に送信する方法について説明する。
【００３８】
画像記憶手段１２に今撮影した画像が記憶されているかどうか確認する（ステップＳ５０１）。撮影されてなければ、画像が撮影されてない旨を示すエラー表示をする（ステップＳ５０２）。次に、位置情報記憶手段１５に位置情報が記憶されているかどうかを確認する（ステップＳ５０３）。設定情報記憶手段１３に記憶している設定情報、例えば、ＩＳＰ接続用電話番号、ユーザＩＤ、パスワードを用いＩＳＰと接続を行う（ステップＳ５０４）。例えば、画像撮影装置１は携帯電話もしくはＰＨＳの電話機能を有した送信手段１７を用いてダイアルアップの方法でＩＳＰと接続する。ＩＳＰとの接続方法は通常パソコンで行われているＰＰＰ（Ｐｏｉｎｔ　Ｔｏ　Ｐｏｉｎｔ　Ｐｒｏｔｏｃｏｌ）を用いた方法と同じでよい。データ処理手段１６で、ステップＳ５０１の画像データを電子メールで送信可能なデータに変換し、ステップＳ５０２の位置情報を電子メールで送信可能なデータに変換し、電子メールに添付する（ステップＳ５０５）。例えば、電子メールに添付できるように、画像データをＭＩＭＥエンコーディング（Ｍｕｌｔｉｐｕｒｐｏｓｅ　Ｉｎｔｅｒｎｅｔ　Ｍａｉｌ　Ｅｘｔｅｎｓｉｏｎｓ　Ｅｎｃｏｄｉｎｇ）等を使ってテキストデータにエンコードし、位置情報がバイナリのデータであれば同様にエンコードし電子メールに添付する。
【００３９】
次に、設定情報記憶手段１３に記憶された受信端末２のアドレス宛てに送信手段１７を介して送信する（ステップＳ５０６）。そして、ＩＳＰとの接続を解除する（ステップＳ５０７）。
【００４０】
受信端末２は、画像データと位置情報が添付された電子メールを電子メール受信手段２１を使って受信する。画像撮影装置１に、このような機能を有することによって、使用者は画像撮影装置１で位置情報を取得し、撮影した画像データ、さらには位置情報を電子メールで送信することが可能となり、画像データを転送するためだけにパソコン、携帯電話、専用の接続ケーブルを持ち歩かなくてよい。
【００４１】
（実施の形態２）
本発明の第２の実施の形態について、図面を参照しながら説明する。
【００４２】
画像を撮影し、地図に関する情報（地図情報）を取得し、撮影した画像データと地図情報を添付したメールを送信するものである。
【００４３】
図６は、本実施の形態で使用される地図情報を付加し画像データを送信する通信システムの例を示す。図６の１、１１〜１７、２、２１は第１の実施の形態と同じである。
【００４４】
画像撮影装置１の地図情報要求手段６１は地図情報を取得するための地図情報取得要求を送信手段１７を介して送信する。受信手段６２は、地図情報を受信する。地図情報記憶手段６３は、受信手段６２で受信した地図情報を記憶する。地図情報提供装置３は、地図情報取得要求を受信し地図中でどこに居るかを解析し情報として提供する通信ネットワーク上の装置であり、地図情報送信機能３１を介して地図情報を送信する。ここで地図情報とは、例えば、位置情報取得手段１４で取得した位置情報に対応する地図中の場所に関する情報を提供するアドレスを示すＵＲＬ（Ｕｎｉｆｏｒｍ　Ｒｅｓｏｕｒｃｅ　Ｌｏｃａｔｏｒ）や地図の画像データ等である。画像撮影装置１は、位置情報取得手段１４で取得した地図情報と撮影した画像データを添付した電子メールを受信端末２に送信する。
【００４５】
次に、図７のフローチャートを用いて本実施の形態での画像撮影装置の操作方法に関して説明する。図７を用いて、使用者の画像撮影装置の操作手順を説明する。まず、使用者は写真を撮影する（ステップＳ７０１）。次に地図情報を取得する（ステップＳ７０２）。そして、ステップＳ７０１で撮影した画像データとステップＳ７０２で取得した地図情報を電子メールに添付して送信する（ステップＳ７０３）。画像撮影操作１は第１の実施の形態と同じである。
【００４６】
次に、地図情報取得操作１を図８のフローチャートを用いて説明する。位置情報取得操作１は第１の実施の形態で示したステップＳ４０１からステップＳ４０５で取得する（ステップＳ８０１）。位置情報取得操作１がエラーかどうかを判断しエラーであれば終了（ステップＳ８０２）。そうでなければ、ＩＳＰとの接続を行う（ステップＳ８０３）。ＩＳＰとの接続は第１の実施の形態のステップＳ５０４と同様である。地図情報要求手段６１は位置情報をもとにした地図情報取得要求を送信手段１７を介し送信する（ステップＳ８０４）。ここで地図情報取得要求は、例えば、位置情報から導いた緯度、経度の値や取得したい地図情報の種類を含むものである。地図情報の種類とは、使用者が要求する地図情報の形式であり地図の画像データ、ＵＲＬ、住所を示す文字情報等である。地図情報提供装置３は地図情報取得要求を受信し、その要求に応じた地図情報を地図情報送信機能３１を介して画像撮影装置１に送信する。画像撮影装置１は、受信手段６２で地図情報を受信したかどうかを判断する（ステップＳ８０５）。取得できてなかった場合、リトライ回数が予め設定していた閾値回数を超えたかどうかを判断し（ステップＳ８０６）、超えていればエラー表示を出し終了する（ステップＳ８０７）。例えば、画像撮影装置１の液晶表示部分に地図情報を取得できなかった旨を示す表示を行う。超えていなければ、再度地図情報を取得するためステップＳ８０４に戻る。地図情報が取得できたら、地図情報記憶手段６３に地図情報を記憶する（ステップＳ８０８）。そして、ＩＳＰとの接続を解除する（ステップＳ８０９）。
【００４７】
次に、メール送信操作２を図９のフローチャートを用いて説明する。使用者の意思によって、画像撮影装置１の液晶表示部分に表示された電子メール送信用のアイコンを選択しクリックすることで、ＩＳＰのサーバに接続し使用者が選択した画像データ、地図情報を添付した電子メールを受信端末２に送信する方法について説明する。
【００４８】
画像記憶手段１２に今撮影した画像が記憶されているかどうか確認する（ステップＳ９０１）。撮影されてなければ、画像が撮影されてない旨を示すエラー表示をする（ステップＳ９０２）。次に、位置情報記憶手段１５に位置情報が記憶されているかどうかを確認する（ステップＳ９０３）。ＩＳＰと接続を行う（ステップＳ９０４）。ＩＳＰとの接続は第１の実施の形態のステップＳ５０４と同様である。データ処理手段１６で、ステップＳ９０１の画像データを電子メールで送信可能なデータに変換し、ステップＳ９０３の地図情報を電子メールで送信可能なデータに変換し、電子メールに添付する（ステップＳ９０５）。次に、設定情報記憶手段１３に記憶された受信端末２のアドレス宛てに送信手段１７を介して送信する（ステップＳ９０６）。そして、ＩＳＰとの接続を解除する（ステップＳ９０７）。受信端末２は、画像データと位置情報が添付された電子メールを電子メール受信手段２１を使って受信する。受信端末２の使用者は、添付された地図情報、例えば、指定されたＵＲＬを用いて撮影された場所の情報や地図を取得することができる。画像撮影装置１に、このような機能を有することによって、使用者は画像撮影装置１で位置情報を取得し、撮影した画像データ、さらには、地図の検索なしに地図情報を電子メールで送信することが可能となる。
【００４９】
（実施の形態３）
本発明の第３の実施の形態について、図面を参照しながら説明する。撮影操作、例えば、写真を撮るためにシャッターを押すとそれと連動して地図情報を取得する方法についてフローチャートを用いて説明する。
【００５０】
図１０のフローチャートに使用者の画像撮影装置の操作手順を示す。まず、使用者は写真を撮影すると同時に地図情報を取得する（ステップＳ１００１）。次に、ステップＳ１００１で撮影した画像データとステップＳ１００１で取得した地図情報を電子メールに添付して送信する（ステップＳ１００２）。次に、画像撮影操作２を図１１のフローチャートを用いて説明する。使用者は、カメラ機能１１を用いて撮影する。画像が撮影されたかどうか判断する（ステップＳ１１０１）。画像が撮影された場合、画像記憶手段１２に記憶する（ステップＳ１１０２）。次に地図情報を取得する（ステップＳ１１０３）。地図情報の取得に関しては、第２の実施の形態で示した方法と同様の方法で行う。このことにより、例えばシャッターを押すタイミングで画像データに対応した位置情報が取得できるようになる。
【００５１】
（実施の形態４）
本発明の第４の実施の形態について、図面を参照しながら説明する。メール送信操作、例えば、使用者の意思によって、画像撮影装置１の液晶表示部分に表示された電子メール送信用のアイコンを選択しクリックすることで、ＩＳＰのサーバに接続し地図情報を取得し、使用者が選択した画像データ、取得した地図情報を添付した電子メールを受信端末２に送信する方法についてフローチャートを用いて説明する。
【００５２】
図１２のフローチャートに使用者の画像撮影装置の操作手順を示す。
【００５３】
まず、使用者は写真を撮影する（ステップＳ１２０１）。次に、ステップＳ１２０１で撮影した画像データを送信するタイミングで地図情報を取得し電子メールに添付して送信する（ステップＳ１２０２）。画像撮影操作１は、第１の実施の形態と同じである。次に、メール送信操作３を図１３のフローチャートを用いて説明する。使用者が画像記憶手段１２に記憶された画像データを１つもしくは複数選択する（ステップＳ１３０１）。例えば、画像撮影装置の液晶表示部分である画像データを見ながら電子メールに添付する画像データを選択する。メール送信ボタンが押されたかどうかを判定する（ステップＳ１３０２）。例えば、画像撮影装置の液晶表示部分で表示されたメール送信ボタンを選択し、クリックすることで電子メールが送信されるような操作である。次に位置情報を取得する（ステップＳ１３０３）。位置情報の取得は第１の実施の形態で示した方法と同様である。位置情報取得操作１にエラーがあれば終了（ステップＳ１３０４）。なければ、ＩＳＰと接続する（ステップＳ１３０５）。ＩＳＰとの接続方法は第１の実施の形態で示した通りである。地図情報要求手段６１は位置情報をもとにした地図情報取得要求を送信手段１７を介し送信する（ステップＳ１３０６）。地図情報提供装置３は地図情報取得要求を受信し、その要求に応じた地図情報を地図情報送信機能３１を介して画像撮影装置１に送信する。画像撮影装置１は、受信手段６２で地図情報を受信したかどうかを判断する（ステップＳ１３０７）。取得できてなかった場合、リトライ回数が予め設定していた閾値回数を超えたかどうかを判断し（ステップＳ１３０８）、超えていればエラー表示を出し終了する（ステップＳ１３０９）。超えていなければ、再度地図情報を取得するためステップＳ１３０６に戻る。地図情報が取得できたら、地図情報記憶手段６３に地図情報を記憶する（ステップＳ１３１０）。そして、データ処理手段１６は、画像データと地図情報を電子メールに添付できるデータに加工し電子メールに添付する（ステップＳ１３１１）。送信手段１７を介して受信端末２に電子メールを送信する（ステップＳ１３１２）。そして、ＩＳＰとの接続を解除する（ステップＳ１３１３）。
【００５４】
このことにより、同一の場所で複数の画像を撮影する場合、同じ地図情報を何度も取得せず、一度の地図情報の取得を行うことでよい。
【００５５】
（実施の形態５）
本発明の第５の実施の形態について、図面を参照しながら説明する。撮影操作、例えば、写真を撮るためにシャッターを押すとそれと連動して地図情報を取得し、撮影した画像データを電子メールで送信する方法についてフローチャートを用いて説明する。
【００５６】
図１４のフローチャートに使用者の画像撮影装置の操作手順を示す。使用者は、画像を撮影する。画像が撮影された場合（ステップＳ１４０１）、画像データを画像記憶手段１２に記憶する（ステップＳ１４０２）。次に位置情報を取得する（ステップＳ１４０３）。位置情報の取得は第１の実施の形態で示した方法と同様である。位置情報取得操作１にエラーがあれば終了（ステップＳ１４０４）。なければ、ＩＳＰと接続する（ステップＳ１４０５）。ＩＳＰとの接続方法は第１の実施の形態と同様の方法である。地図情報要求手段６１は位置情報をもとにした地図情報取得要求を送信手段１７を介し送信する（ステップＳ１４０６）。地図情報提供装置３は地図情報取得要求を受信し、その要求に応じた地図情報を地図情報送信機能３１を介して画像撮影装置１に送信する。画像撮影装置１は、受信手段６２で地図情報を受信したかどうかを判断する（ステップＳ１４０７）。取得できてなかった場合、リトライ回数が予め設定していた閾値回数を超えたかどうかを判断し（ステップＳ１４０８）、超えていればエラー表示を出し終了する（ステップＳ１４０９）。超えていなければ、再度地図情報を取得するためステップＳ１４０６に戻る。地図情報が取得できたら、地図情報記憶手段６３に地図情報を記憶する（ステップＳ１４１０）。そして、データ処理手段１６は、画像データと地図情報を電子メールに添付できるデータに加工し電子メールに添付する（ステップＳ１４１１）。送信手段１７を介して受信端末２に電子メールを送信する（ステップＳ１４１２）。そして、ＩＳＰとの接続を解除する（ステップＳ１４１３）。このことにより、画像撮影装置１のシャッターを押すだけで、画像データと地図情報を添付した電子メールが送信できる。
【００５７】
（実施の形態６）
本発明の第６の実施の形態について、図面を参照しながら説明する。
【００５８】
図１５に画像撮影装置１の画像記憶手段１２と地図情報記憶手段６３を示す。
【００５９】
画像識別番号記憶部１５０１は画像データにつけた識別番号を記憶する領域である。画像データ記憶部１５０２は画像データを記憶する領域である。地図情報識別番号記憶部１５０３は地図情報に識別番号を付ける領域である。地図情報記憶部１５０４は地図情報を記憶する領域である。画像識別番号記憶部１５０１のアドレスと画像データ記憶部１５０２のアドレスは１対１に対応付けられている。同様に、地図情報識別番号記憶部１５０３のアドレスと地図情報記憶部１５０４のアドレスは１対１に対応付けられている。例えば、第３の実施の形態で示したように、シャッターと連動して地図情報を取得する場合、撮影した画像データと取得した地図情報を記憶するに際して、同一の識別番号を付ける。
【００６０】
図１６にフローチャートを示す。使用者は、カメラ機能１１を用いて撮影する。画像が撮影された場合（ステップＳ１６０１）、画像データは、画像記憶手段１２に記憶される（ステップＳ１６０２）。画像記憶手段１２に記憶する場合、識別番号を付ける（ステップＳ１６０３）。例えば、画像識別番号記憶部１５０１に特定の値を入れる。ここでは例として“１”を入れる。画像データは画像データ記憶部１５０２に格納される。次に、位置情報を取得する（ステップＳ１６０４）。位置情報取得操作１にエラーがあれば終了（ステップＳ１６０５）。なければ、ＩＳＰと接続する（ステップＳ１６０６）。地図情報要求手段６１は位置情報をもとにした地図情報取得要求を送信手段１７を介し送信する（ステップＳ１６０７）。地図情報提供装置３は地図情報取得要求を受信し、その要求に応じた地図情報を地図情報送信機能３１を介して画像撮影装置１に送信する。画像撮影装置１は、受信手段６２で地図情報を受信したかどうかを判断する（ステップＳ１６０８）。取得できてなかった場合、リトライ回数が予め設定していた閾値回数を超えたかどうかを判断し（ステップＳ１６０９）、超えていればエラー表示を出し終了する（ステップＳ１６１０）。超えていなければ、再度地図情報を取得するためステップＳ１６０７に戻る。地図情報が取得できたら、地図情報記憶手段６３に地図情報を記憶する（ステップＳ１６１１）。地図情報記憶手段６３に記憶する場合、ステップＳ１６０３で付けた識別番号と同じ値を付ける（ステップＳ１６１２）。ここでは、地図情報識別番号記憶部１５０３に“１”という値を設定することである。取得した地図情報は、地図情報記憶部１５０４に格納される。そして、ＩＳＰとの接続を解除する（ステップＳ１６１３）。なお、画像データと位置情報を対応付けるために付ける識別番号は、日付、時間であってもよい。このことにより、画像データと地図情報を対応付けて記憶することができる。
【００６１】
【発明の効果】
以上、本発明によれば、通信システムは、画像データを送信するためのノートパソコンとの接続、携帯電話との接続をするという操作をせずに画像データを送信でき、自分の位置情報の検索なしに位置情報を付加した電子メールを受信端末に送信できる。
【００６２】
また、地図に関する情報を付加し電子メールとして送信することができる。さらに、使用者の希望に応じて位置情報の取得、画像データの送信ができる。
【図面の簡単な説明】
【図１】本発明の位置情報を付加し画像を送信する通信システムの構成図
【図２】実施の形態１の使用者の操作を示すフローチャート
【図３】画像撮影操作１のフローチャート
【図４】位置情報取得操作１のフローチャート
【図５】メール送信操作１のフローチャート
【図６】本発明の地図情報を付加し画像を送信する通信システムの構成図
【図７】実施の形態２の使用者の操作を示すフローチャート
【図８】地図情報取得操作１のフローチャート
【図９】メール送信操作２のフローチャート
【図１０】実施の形態３の使用者の操作を示すフローチャート
【図１１】画像撮影操作２のフローチャート
【図１２】実施の形態４の使用者の操作を示すフローチャート
【図１３】メール送信操作３のフローチャート
【図１４】実施の形態５のフローチャート
【図１５】画像記憶手段、位置情報記憶手段の構成を示す図
【図１６】実施の形態６の画像データ記憶、位置情報記憶のフローチャート
【図１７】従来の例を示す図
【符号の説明】
１　画像撮影装置
２　受信端末
３　地図情報提供装置
１１　カメラ機能
１２　画像記憶手段
１３　設定情報記憶手段
１４　位置情報取得手段
１５　位置情報記憶手段
１６　データ処理手段
１７　送信手段
２１　電子メール受信手段
３１　地図情報送信機能
６１　地図情報要求手段
６２　受信手段
６３　地図情報記憶手段
１５０１　画像識別番号記憶部
１５０２　画像データ記憶部
１５０３　地図情報識別番号記憶部
１５０４　地図情報記憶部
１７０１　デジタルスチールカメラ
１７０２　ノートパソコン
１７０３　デジタルスチールカメラとノートパソコンを接続する専用ケーブル
１７０４　携帯電話
１７０５　携帯電話とノートパソコンを接続する専用ケーブル
【図１】
2004147044.tif 000003
【図２】
2004147044.tif 000004
【図３】
2004147044.tif 000005
【図４】
2004147044.tif 000006
【図５】
2004147044.tif 000007
【図６】
2004147044.tif 000008
【図７】
2004147044.tif 000009
【図８】
2004147044.tif 000010
【図９】
2004147044.tif 000011
【図１０】
2004147044.tif 000012
【図１１】
2004147044.tif 000013
【図１２】
2004147044.tif 000014
【図１３】
2004147044.tif 000015
【図１４】
2004147044.tif 000016
【図１５】
2004147044.tif 000017
【図１６】
2004147044.tif 000018
【図１７】
2004147044.tif 000019